(57)【要約】【課題】  圧着時において端子が金型に食いついた場合でも、確実に端子を金型から外すことが可能な端子付き電線の製造方法を提供する。【解決手段】  被覆圧縮金型３５ａ、導線圧縮金型３７ａで圧着部を圧縮した状態から、被覆圧縮金型３５ａ、導線圧縮金型３７ａ等を上昇させると、押圧部３９ａの先端が導線圧着部の前方と接触する。また、この際、案内部材３１ａの上昇が停止する。したがって、被覆圧縮金型３５ａ、導線圧縮金型３７ａ等の上昇に対して、相対的に、押圧部３９ａ、３９ｂが、導線圧着部７の前方と、被覆圧着部９の仮圧着部の後方とを押圧して、端子１を被覆圧縮金型３５ａ、導線圧縮金型３７ａより離型することができる。【選択図】図４
2018018788.tif 000002
【特許請求の範囲】
【請求項１】
被覆導線と端子とが接続された端子付き電線の製造方法であって、
前記端子は、前記被覆導線が圧着される圧着部と、端子本体とを有し、
前記圧着部は、前記被覆導線の被覆部を圧着する被覆圧着部と、前記被覆部から露出する導線を圧着する導線圧着部とを有し、前記被覆導線が挿入される部位を除き、他の部位が封止されており、
前記圧着部に前記被覆導線を挿入し、
前記導線圧着部と前記導線を圧着するとともに、前記被覆圧着部と前記被覆部を仮圧着する第１圧着工程と、
前記第１圧着工程の後、前記被覆圧着部と、前記被覆部を本圧着する第２圧着工程と、
を具備し、
前記第１圧着工程において、前記被覆圧着部の前記導線圧着部側のみを仮圧着し、前記第１圧着工程の後、前記被覆圧着部の仮圧着部の後方と、前記導線圧着部の前方とを押圧して、金型より離型することを特徴とする端子付き電線の製造方法。
【請求項２】
前記第１圧着工程における、前記仮圧着部の圧縮率が、８５％以上１００％未満であることを特徴とする請求項１記載の端子付き電線の製造方法。
【請求項３】
前記第１圧着工程は、最初に、前記被覆圧着部によって前記被覆部の仮圧着を行った後に、前記導線圧着部によって前記導線の圧着を行うことを特徴とする請求項１または請求項２に記載の端子付き電線の製造方法。
【請求項４】
前記第１圧着工程における、前記仮圧着部の圧縮率が、前記被覆圧着部の前記導線圧着部側から前記被覆圧着部の後方にかけて大きくなるように仮圧着を行うことを特徴とする請求項１から請求項３のいずれかに記載の端子付き電線の製造方法。
【請求項５】
前記第１圧着工程の前に、前記端子の被覆導線挿入口に対向する対向部分の内径を前記被覆導線挿入口の内径に対応させて形成した案内部材によって、前記被覆導線の先端部を前記被覆導線挿入口へ案内して、前記圧着部に前記被覆導線の先端部を挿入する被覆導線挿入工程を具備することを特徴とする請求項１から請求項４のいずれかに記載の端子付き電線の製造方法。
【請求項６】
前記第１圧着工程の後、前記被覆圧着部の前記仮圧着部の後方を、前記案内部材によって押圧して、金型より離型することを特徴とする請求項５記載の端子付き電線の製造方法。
【請求項７】
前記被覆導線挿入工程の前に、帯状に形成されたキャリアと、前記キャリアの長手方向に所定間隔を隔ててそれぞれ繋ぎ部を介して複数の前記端子を連結した端子連結帯に対し、キャリアカット部を移動させて、前記繋ぎ部を前記キャリアの厚み方向へのせん断によって切断し、前記キャリアから前記端子を分離するキャリアカット工程を具備し、
前記キャリアカット部を、前記繋ぎ部を切断する位置まで移動させた際に、前記被覆導線挿入口に対応する位置に前記案内部材が位置することを特徴とする請求項５または請求項６に記載の端子付き電線の製造方法。
【発明の詳細な説明】
【技術分野】
【０００１】
本発明は自動車等に用いられる端子付き電線の製造方法に関するものである。
【背景技術】
【０００２】
従来、自動車用ワイヤハーネスにおける電線と端子との接続は、オープンバレル型と呼ばれる端子で電線をかしめて圧着する圧着接合が一般的である。しかし、このようなワイヤハーネスでは、電線と端子の接続部分に水分等が付着してしまうと、電線に用いられる金属表面の酸化が進み、接合部における抵抗が増加してしまう。また電線と端子に用いられる金属が異なる場合、異種金属間腐食が進んでしまう。当該接続部分における金属材料の腐食の進行は、接続部分の割れや接触不良の原因となり、製品寿命への影響を免れない。特に近年では、電線をアルミニウム合金とし、端子を銅合金とするワイヤハーネスが実用化されつつあり、接合部の腐食の課題が顕著になってきている。
【０００３】
ここで、例えばアルミニウムと銅のような異種金属の接触部分に水分が付着すると、腐食電位の違いから、いわゆる電食が発生する恐れがある。特に、アルミニウムと銅との電位差は大きいから、電気的に卑であるアルミニウム側の腐食が進行する。このため、導線と圧着端子との接続状態が不安定となり、接触抵抗の増加や線径の減少による電気抵抗の増大、さらには断線が生じて電装部品の誤動作、機能停止に至る恐れがある。
【０００４】
このような異種金属が接触するワイヤハーネスにおいて、例えば、一端閉塞型の筒状圧着部を有する端子を用い、この筒状圧着部内に電線の端部を挿入した後、該筒状圧着部をかしめ加工により圧着して、芯線端部を雨水や海水等の付着から保護する方法が提案されている（例えば特許文献１）。
【０００５】
しかし、このように圧着部の端部を封止した際、被覆部と圧着部との密着性が十分でないと、圧着部から水が浸入する恐れがある。例えば、被覆導線を圧着部に導入し、導線の圧着部と被覆部の圧着部を同時に圧着すると、導線圧着部の圧着によって、内部の導線の一部が導線圧着部方向に引っ張られる。このため、被覆部の一部に、強く押し付けられる部分と圧縮が弱くなる部分とが生じやすい。したがって、被覆部が強く押し付けられる部位では、被覆部が潰れすぎて、十分な反発力を得ることができず、被覆部の圧縮が弱い部位では、密着力が弱く、止水性が低下するおそれがある。
【０００６】
また、導線圧着部を圧着する際には、端子自体も被覆圧着部側に伸びる。このため、内部の被覆部が被覆圧着部の伸びに追従しながら強圧着される。この結果、被覆部は、被覆圧着部による断面中心方向に向けた圧縮だけでなく、軸方向にずれながら圧縮される。このため、被覆部に対する管軸方向に垂直な方向への圧縮力が軸方向に逃げてしまい、十分な圧縮力を得られないおそれがある。
【０００７】
これに対し、導線圧着部を圧着する際に、被覆圧着部を仮圧着し、その後、被覆圧着部を本圧着する２段階圧着を行う方法が提案されている（特許文献２）。
【先行技術文献】
【特許文献】
【０００８】
【特許文献１】特開２００６−３３１９３１号公報
【特許文献２】特開２０１６−０４６１４０号公報
【発明の概要】
【発明が解決しようとする課題】
【０００９】
特許文献２の方法によれば、導線圧着部を圧着する際には、被覆圧着部は仮圧着されるのみであり、被覆圧着部に対して被覆部の多少の移動が許容される。このため、導線圧着部を圧着する際に、被覆部の軸方向へのずれ等を吸収可能である。したがって、被覆部が安定した状態で、被覆部を強圧着することができる。このため、被覆部の圧縮力が軸方向に逃げたり、部分的な圧縮量の差などが生じにくい。
【００１０】
しかし、通常、導線圧着部を圧着する金型と、被覆圧着部を圧着する金型は別体で構成される。この際、導線と被覆部とを同時に圧着すると、それぞれの金型の隙間に、端子の一部が食い込むおそれがある。特に、一端封止型の端子においては、圧着時に端子の伸びを吸収するスペースがないため、圧着時に金型にわずかな傾きが生じやすい。このため、金型の傾きによって形成される隙間に、端子の外面の金属が食い込みやすくなる。
【００１１】
このように、端子が金型に食いついた場合には、端子の一部に別部材を接触させて、端子を金型から押し出すことで、金型から端子を外す方法が考えられる。しかし、圧着部以外の部位を押すことになるので、その際の力が端子の首部など弱い部分に加わり、端子の首折れなどのおそれがあった。
【００１２】
しかし、特許文献２において、導線と被覆部とを完全に別工程で圧着するのでは、工程が増え、また、前述した圧着時の導線や被覆部の伸びによる影響が大きくなる。
【００１３】
本発明は、このような問題に鑑みてなされたもので、圧着時において端子が金型に食いついた場合でも、確実に端子を金型から外すことが可能な端子付き電線の製造方法を提供することを目的とする。
【課題を解決するための手段】
【００１４】
前述した目的を達するために本発明は、被覆導線と端子とが接続された端子付き電線の製造方法であって、前記端子は、前記被覆導線が圧着される圧着部と、端子本体とを有し、前記圧着部は、前記被覆導線の被覆部を圧着する被覆圧着部と、前記被覆部から露出する導線を圧着する導線圧着部とを有し、前記被覆導線が挿入される部位を除き、他の部位が封止されており、前記圧着部に前記被覆導線を挿入し、前記導線圧着部と前記導線を圧着するとともに、前記被覆圧着部と前記被覆部を仮圧着する第１圧着工程と、前記第１圧着工程の後、前記被覆圧着部と、前記被覆部を本圧着する第２圧着工程と、を具備し、前記第１圧着工程において、前記被覆圧着部の前記導線圧着部側のみを仮圧着し、前記第１圧着工程の後、前記被覆圧着部の仮圧着部の後方と、前記導線圧着部の前方とを押圧して、金型より離型することを特徴とする端子付き電線の製造方法である。
【００１５】
前記第１圧着工程における、前記仮圧着部の圧縮率が、８５％以上１００％未満であることが望ましい。
【００１６】
前記第１圧着工程は、最初に、前記被覆圧着部によって前記被覆部の仮圧着を行った後に、前記導線圧着部によって前記導線の圧着を行ってもよい。
【００１７】
前記第１圧着工程における、前記仮圧着部の圧縮率が、前記被覆圧着部の前記導線圧着部側から前記被覆圧着部の後方にかけて大きくなるように仮圧着を行ってもよい。
【００１８】
前記第１圧着工程の前に、前記端子の被覆導線挿入口に対向する対向部分の内径を前記被覆導線挿入口の内径に対応させて形成した案内部材によって、前記被覆導線の先端部を前記被覆導線挿入口へ案内して、前記圧着部に前記被覆導線の先端部を挿入する被覆導線挿入工程を具備してもよい。
【００１９】
前記第１圧着工程の後、前記被覆圧着部の前記仮圧着部の後方を、前記案内部材によって押圧して、金型より離型してもよい。
【００２０】
前記被覆導線挿入工程の前に、帯状に形成されたキャリアと、前記キャリアの長手方向に所定間隔を隔ててそれぞれ繋ぎ部を介して複数の前記端子を連結した端子連結帯に対し、キャリアカット部を移動させて、前記繋ぎ部を前記キャリアの厚み方向へのせん断によって切断し、前記キャリアから前記端子を分離するキャリアカット工程を具備し、前記キャリアカット部を、前記繋ぎ部を切断する位置まで移動させた際に、前記被覆導線挿入口に対応する位置に前記案内部材が位置してもよい。
【００２１】
本発明によれば、被覆圧着部を２回に分けて圧着し、導線を完全に圧着した後に、被覆部を完全に圧着するようにしたため、導線圧着時における導体の変形や電線の伸びなどの影響により、被覆部の圧着が弱くなることを抑制することができる。したがって、圧着端子と被覆部の隙間から水分が端子内に浸入し、電線と端子との接触部に水分が付着するのを防止することができる。
【００２２】
また、第１圧着工程において、被覆圧着部の前方側のみを仮圧着することで、被覆圧着部の後方を、端子の押圧位置とすることができる。このため、端子が金型に食いついた場合でも、圧着部の前後の少なくとも２カ所を押圧することができるため、端子を押圧した際に、端子の首折れなどが生じることを抑制することができる。
【００２３】
なお、本発明において、導線圧着部と導線を圧着するとともに、被覆圧着部と被覆部を仮圧着するとは、導線圧着部と導線の圧着と完全に同時に、被覆圧着部と被覆部を仮圧着する場合と、導線圧着部と導線の圧着と、被覆圧着部と被覆部の仮圧着とを時間差で行うことの両者を含むものとする。また、被覆圧着部と被覆部を圧着するとは、被覆圧着部と被覆部間の圧着のみならず、被覆部の内部の導線も同時に圧縮されることを意味することは言うまでもない。
【００２４】
このように、第１圧着工程においては、被覆部の仮圧着と導線の本圧着を同時に行わず、被覆部の仮圧着を先に行ってもよい。先に仮圧着を行っておくことで、導線圧着時に、想定以上に被覆部のずれが生じることを抑制することができる。
【００２５】
また、第１圧着工程における、被覆部の圧縮率を８５％以上１００％未満とすることで、最終的な第２圧着工程における圧縮量を十分に確保することができる。
【００２６】
また、仮圧着部の圧縮率が、導線圧着部側から被覆圧着部の後方にかけて大きくなるように仮圧着を行うことで、被覆圧着部において仮圧着部と非仮圧着部との境界部に形成されるスジの発生を抑制することができる。このため、本圧着後に、スジを目立ちにくくすることができる。
【００２７】
また、案内部材を用いて被覆導線を端子の被覆導線挿入口に誘導することで、確実に被覆導線を圧着部に挿入することができる。
【００２８】
また、この場合には、案内部材の一部で金型に食いついた端子を押圧することで、別途の押圧部材を配置する必要がない。
【００２９】
また、キャリアおよび繋ぎ部を案内部材に設けられたキャリアカット部でカットし、この状態で案内部材のガイド部が被覆導線挿入口の位置に配置されることで、キャリアカット工程と被覆導線挿入工程とを連続して行うことができる。
【発明の効果】
【００３０】
本発明によれば、圧着時において端子が金型に食いついた場合でも、確実に端子を金型から外すことが可能な端子付き電線の製造方法を提供することができる。
【図面の簡単な説明】
【００３１】
【図１】端子付き電線１０の斜視図。
【図２】端子付き電線１０の断面図。
【図３】端子１を設置した状態の圧着装置３０を示す図。
【図４】端子連結帯２６を示す図。
【図５】被覆導線２３の挿入前の状態の圧着装置３０を示す図。
【図６】被覆導線２３を挿入した状態の圧着装置３０を示す図。
【図７】第１圧着工程の圧着状態の圧着装置３０を示す図。
【図８】（ａ）は、第１圧着工程の圧着前の状態を示す断面図、（ｂ）は圧着した状態を示す断面図。
【図９】端子１等を上昇させた状態の圧着装置３０を示す図。
【図１０】端子１を押圧した状態の圧着装置３０を示す図。
【図１１】（ａ）は、第２圧着工程の圧着前の状態を示す断面図、（ｂ）は圧着した状態を示す断面図。
【図１２】（ａ）、（ｂ）は、第１圧着工程の他の圧着状態を示す断面図。
【発明を実施するための形態】
【００３２】
図１は、本発明にかかる端子付き電線１０を示す斜視図であり、図２は、端子付き電線１０の軸方向断面図である。端子付き電線１０は、端子１と被覆導線２３とが圧着されて構成される。
【００３３】
被覆導線２３は、導線２５が絶縁性の被覆部２７によって被覆されて構成される。導線２５は、例えばアルミニウム系材料製である。被覆導線２３を端子１の圧着部５に挿入する際には、被覆導線２３の先端の一部の被覆部２７が剥離され、導線２５を露出させておく。なお、被覆部２７としては、ポリ塩化ビニル（ＰＶＣ）、ポリエチレン等、この技術の分野において通常用いられるものを選択することができる。
【００３４】
端子１は、銅製であり、端子本体３と圧着部５とからなる。端子本体３は、所定の形状の板材を、断面が矩形の筒体に形成したものである。端子本体３は、前端部１７に、板材を矩形の筒体内に折り込んで形成される弾性接触片１５を有する。端子本体３は、前端部１７から雄端子などが挿入されて接続される。
【００３５】
圧着部５は、被覆導線２３の被覆部２７を圧着する被覆圧着部９と、被覆導線２３の先端部分において、被覆部が除去されて導線２５が露出した部位を圧着する導線圧着部７とからなる。
【００３６】
圧着部５は、断面が円形の筒体となるように丸められ、側縁部同士を突き合わせて接合部２１で接合して一体化することにより形成される。筒状に形成された圧着部５の後端部１９から、被覆導線２３が挿入される。すなわち、圧着部５の後端部１９が、被覆導線挿入口となる。また、圧着部５の前端部（端子本体３側）には封止部１１が設けられる。すなわち、圧着部５は、一方が閉じた略筒状で、被覆導線が挿入される後端部１９以外は、封止される。なお、接合部２１および封止部１１は、例えばレーザ溶接等によって溶接される。
【００３７】
次に、端子付き電線の製造方法について説明する。圧着装置３０を示す図である。圧着装置３０は、案内部材３１ａ、３１ｂ、被覆圧縮金型３５ａ、３５ｂ、導線圧縮金型３７ａ、３７ｂ、押圧部３９ａ、端子押さえ部４１ａ、端子設置部４１ｂ、被覆導線把持部４３等から構成される。
【００３８】
案内部材３１ａ、３１ｂは、被覆導線２３を端子の被覆導線挿入口１３に誘導するガイド部３３ａ、３３ｂをそれぞれ具備する。ガイド部３３ａ、３３ｂは、被覆導線２３の挿入側から、端子の被覆導線挿入口１３に向けて徐々に縮径し、端子の被覆導線挿入口１３に対向する対向部分の内径が被覆導線挿入口１３の内径に対応させて形成される。
【００３９】
案内部材３１ｂには、溝状に挟み込み部４５が形成される。挟み込み部４５は、端子のキャリア等が挿入される部位である。
【００４０】
図４は、端子連結帯２６を示す図である。端子連結帯２６は、帯状に形成されたキャリア２９ｂと、キャリア２９ｂの長手方向に所定間隔を隔ててそれぞれ繋ぎ部２９ａを介して複数の端子１とが連結されたものである。
【００４１】
前述したように、各端子１（圧着部５）の後端部が、被覆導線挿入口１３となる。被覆導線挿入口１３は、被覆導線２３の先端（被覆部２７が所定長さ剥離されて導線２５が露出する部位）が挿入される部位である。
【００４２】
なお、導線圧着部７は、被覆圧着部９に対して外径および内径が小さい。このように、導線圧着部７と被覆圧着部９の径をあらかじめ変えておき、より径の大きな被覆部２７を圧着する被覆圧着部９の内径を、より径の小さな導線２５を圧着する導線圧着部７の内径よりも大きくしておくことで、端子１の圧縮量を少なくすることができる。なお、以下の実施形態では、導線圧着部７と被覆圧着部９とで、予め外径および内径が異なる端子１を示すが、同径であってもよい。
【００４３】
キャリア２９ｂおよび繋ぎ部２９ａが、挟み込み部４５に挿入された状態で、端子連結帯２６（端子１）が、被覆圧縮金型３５ｂ、導線圧縮金型３７ｂ、端子設置部４１ｂに載置される。
【００４４】
次に、図５に示すように、案内部材３１ａ等を下方に移動させる（図中矢印Ａ）。案内部材３１ａは、案内部材３１ｂと接触すると、案内部材３１ｂとともにさらに下方に移動する。
【００４５】
この際、案内部材３１ｂの移動に伴い、挟み込み部４５の縁部であるキャリアカット部２８が移動し、繋ぎ部２９ａと端子１との間をキャリア２９ｂの厚み方向へのせん断によって切断し、キャリア２９ｂ等から端子１を分離する（キャリアカット工程）。
【００４６】
また、案内部材３１ａ、３１ｂが接触することで、互いのガイド部３３ａ、３３ｂが略円錐状に連続する。ガイド部３３ａ、３３ｂの端部（端子の被覆導線挿入口１３に対向する最細径部）が被覆導線挿入口１３に対応する部位に位置する。すなわち、キャリアカット部２８を、繋ぎ部２９ａを切断する位置まで移動させた際に、被覆導線挿入口１３に対応する位置に案内部材３１ａ、３１ｂが位置する。
【００４７】
なお、この状態において、端子１の圧着部５の後端近傍の上部が案内部材３１ａの下縁部である押圧部３９ｂによって押さえされる。また、端子１の端子本体３が端子押さえ部４１ａによって押さえられる。
【００４８】
次に、図６に示すように、被覆導線２３を把持した被覆導線把持部４３を案内部材３１ａ、３１ｂ側に移動させて（図中矢印Ｂ）、案内部材３１ａ、３１ｂ（ガイド部３３ａ、３３ｂ）によって、被覆導線２３の先端部を被覆導線挿入口１３へ案内して、圧着部５に被覆導線２３の先端部を挿入する（被覆導線挿入工程）。なお、前述したように、あらかじめ被覆導線２３の先端の所定長さの被覆部２７が除去されて、導線２５が露出する。
【００４９】
この際、導線圧着部７の内部には露出した導線２５が位置し、被覆圧着部９の内部には被覆部２７が位置する。なお、前述したように、圧着部５は、略筒状に丸められて、縁部同士が接合部２１で接合される。また、圧着部５の前端部（端子本体３側）には封止部１１が設けられる。すなわち、圧着部５は、被覆導線２３が挿入される後端部１９以外は、封止される。
【００５０】
図７は、圧着部を圧着する工程を示す図で、図８（ａ）、図８（ｂ）は、圧着時における圧着部５近傍の拡大断面図である。図７等に示すように、被覆圧縮金型３５ａ、導線圧縮金型３７ａをそれぞれ下方に移動させて（図中矢印Ｃ、Ｄ）、導線圧着部７と導線２５を圧着するとともに、被覆圧着部９と被覆部２７を仮圧着する（第１圧着工程）。
【００５１】
導線圧縮金型３７ａ、３７ｂを噛み合わせて、導線圧着部７を圧縮すると、導線圧着部７が導線２５に完全に圧着される。一方、被覆圧縮金型３５ａ、３５ｂを噛み合わせて、被覆圧着部９を圧縮すると、被覆圧着部９の前方側（導線圧着部７側）のみが仮圧着される。すなわち、第１圧着工程においては、被覆圧着部９の導線圧着部７側のみが仮圧着される。
【００５２】
ここで、圧着前の被覆部２７における断面積をＡ０とし、被覆圧縮金型３５ａ、３５ｂによって圧着された後の仮圧着部４９（図８（ｂ）参照）における被覆圧着部９の内部（被覆部２７）の断面積をＡ１とすると、圧縮率＝Ａ１／Ａ０は、８５％以上１００％未満とすることが望ましい。圧縮率が１００％となると、被覆部２７が全く圧着されていない状態となり、本発明の効果が小さい。一方、圧縮率が８５％未満では、前述した被覆部２７の移動が十分に許容されず、また、後述する本圧着時の圧縮率を確保することができなくなるため、仮圧着の圧縮率は８５％以上であることが望ましい。
【００５３】
次に、図９に示すように、被覆圧縮金型３５ａ、導線圧縮金型３７ａ等を上昇させるとともに（図中矢印Ｆ）、被覆導線把持部４３を上昇させる（図中矢印Ｅ）。ここで、被覆圧縮金型３５ａ、導線圧縮金型３７ａの上昇と、案内部材３１ａ、端子押さえ部４１ａ、被覆導線把持部４３の上昇が同期する。
【００５４】
図１０に示すように、この状態からさらに被覆圧縮金型３５ａ、導線圧縮金型３７ａ等を上昇させると（図中矢印Ｆ）、押圧部３９ａの先端が導線圧着部７の前方近傍と接触する。また、この際、案内部材３１ａの上昇が停止する。したがって、被覆圧縮金型３５ａ、導線圧縮金型３７ａ等の上昇に対して、相対的に、押圧部３９ａ、３９ｂが、導線圧着部７の前方と（図中矢印Ｇ）、被覆圧着部９の仮圧着部４９の後方と（図中矢印Ｈ）を押圧して、端子１を被覆圧縮金型３５ａ、導線圧縮金型３７ａより離型することができる。
【００５５】
このように、圧着部５の前後端近傍の２カ所を押圧して被覆圧縮金型３５ａ、導線圧縮金型３７ａより離型するため、端子１の首部等の一か所に力が付与されて首折れなどが生じることを防止することができる。また、被覆圧着部９の仮圧着部４９の後方を、案内部材３１ａの押圧部３９ｂによって押圧して、端子１を金型より離型するため、案内部材３１ａとは別に他の押圧部を設ける必要がない。
【００５６】
この状態から、被覆導線把持部４３を移動させて、被覆圧縮金型３５ａ、導線圧縮金型３７ａ等の下部から、被覆導線２３および端子１を抜き取ることで、導線圧着部７が完全に圧着され、被覆圧着部９の一部が仮圧着された端子付き電線を形成することができる。
【００５７】
次に、図１１（ａ）に示すように、被覆圧縮金型４７ａ、４７ｂの間に被覆圧着部９を配置した後、図１１（ｂ）に示すように、被覆圧縮金型４７ａと被覆圧縮金型４７ｂとで被覆圧着部９の全体（仮圧着部４９および非仮圧着部）を圧縮して（図中矢印Ｉ）、被覆圧着部９と被覆部２７とを強圧着する（第２圧着工程）。
【００５８】
なお、被覆圧縮金型４７ａ、４７ｂによって被覆圧着部９を圧着する際には、導線圧着部７は、それ以上圧着されない。但し、導線圧着部７の変形を抑える目的で、図示を省略した金型によって導線圧着部７を押さえてもよい。
【００５９】
以上により、被覆圧着部９と被覆部２７とが本圧着される。圧着後の被覆圧着部９の内部（被覆部２７）の断面積をＡ２とすると、Ａ２／Ａ０が、最終的な圧縮率となる。最終的な圧縮率は、被覆が破れるのを抑制するため、５０％以上であるのが好ましく、圧着部の密着性を確保するため、８５％未満であるのが好ましい。
【００６０】
このように、被覆圧縮金型４７ａ、４７ｂによる圧着後には、被覆圧着部９の内面と被覆部２７の外面との密着によって圧着部５を封止することができる。この際、圧着部５の後端部１９以外の他の部位は、接合部２１および封止部１１によって水密に封止されるため、圧着部５への水分の浸入を防止することができる。以上により、端子付き電線１０が製造される。
【００６１】
以上、本実施の形態のように、被覆部２７を２段階で圧着することにより、止水性に優れた端子付き電線１０を製造することができる。
【００６２】
また、第１圧着工程では、被覆圧着部９の前方のみを仮圧着することで、圧着後の離型時に、圧着部５の前端近傍と後端近傍の２カ所を押圧することができる。従って、第１圧着工程において、仮に、被覆圧縮金型３５ａと導線圧縮金型３７ａとの間に端子１の外面が食い込んだ場合でも、端子１の首部などの一か所に力が付与されることがなく、端子１を当該金型等から確実に離型することができる。
【００６３】
また、一対の案内部材３１ａ、３１ｂによって、被覆導線２３を被覆導線挿入口１３へ誘導するため、確実に被覆導線２３を圧着部５内に挿入することができる。
【００６４】
また、案内部材３１ａが、前述した離型のための押圧部３９ｂを兼ねるため、案内部材３１ａとは別に、他の押圧部を設ける必要がない。
【００６５】
また、案内部材３１ｂが、端子連結帯２６の繋ぎ部２９ａを切断するキャリアカット部２８を兼ねるため、キャリアカット工程と被覆導線挿入工程とを連続して行うことができる。
【００６６】
なお、前述した実施形態においては、第１圧着工程において、導線圧着部７と被覆圧着部９の一部とを同時に圧縮したが、１圧着工程において、さらに２段階で各部の圧縮を行ってもよい。
【００６７】
例えば、第１圧着工程において、最初に、被覆圧縮金型３５ａのみを移動させて、被覆圧着部９によって被覆部２７の仮圧着を行った後に、その状態で導線圧縮金型３７ａを移動させ、導線圧着部７によって導線２５の圧着を行うこともできる。この後は、前述の実施形態と同様に、押圧部３９ａ、３９ｂで端子を金型から押圧して離型し、第２圧着工程を行えばよい。
【００６８】
このようにすることで、導線圧着部７を圧縮する際に、被覆部２７が完全にフリーではないため、例えば、被覆部２７の後方への過剰な移動などを防止することができる。また、被覆圧着部９を仮圧着し、導線圧着部７を圧着した後に、被覆圧着部９を本圧着するという順番で圧着することで、被覆部２７と導線２５における圧縮率のバランスを取りながら圧着することになるため、圧縮率のばらつきが小さく、より確実に圧着することができる。
【００６９】
また、被覆圧縮金型３５ａは、全体が同一の圧縮率となるのではなく、部位によって圧縮率を変えてもよい。例えば、図１２（ａ）に示すように、被覆圧縮金型３５ａの後方側をテーパ形状としてもよい。この場合には、第１圧着工程における、仮圧着部４９の圧縮率が、被覆圧着部９の導線圧着部７側から被覆圧着部９の後方にかけて大きくなるように仮圧着が行われる。
【００７０】
このように、仮圧着部４９の後方に行くほど圧縮率が大きくなるようにすることで、仮圧着部４９と非仮圧着部との境界部に、段差やスジが形成されることを抑制することができる。このため、第２圧着工程後に、スジ状に仮圧着部４９の跡が残ることを抑制することができる。
【００７１】
また、図１２（ｂ）に示すように、被覆圧縮金型３５ａの全体をテーパ形状としてもよい。この場合でも、第１圧着工程において、仮圧着部４９の圧縮率が、被覆圧着部９の導線圧着部７側から被覆圧着部９の後方にかけて大きくなるように仮圧着を行うことができる。
【００７２】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００７３】
例えば、実施例は、電線にアルミニウムを使った場合を記載したが、これに限定されず、電線に銅を使っても良い。
【符号の説明】
【００７４】
１………端子
３………端子本体
５………圧着部
７………導線圧着部
９………被覆圧着部
１０………端子付き電線
１１………封止部
１３………被覆導線挿入口
１５………弾性接触片
１７………前端部
１９………後端部
２１………接合部
２３………被覆導線
２５………導線
２６………端子連結帯
２７………被覆部
２８………キャリアカット部
２９ａ………繋ぎ部
２９ｂ………キャリア
３０………圧着装置
３１ａ、３１ｂ………案内部材
３３ａ、３３ｂ………ガイド部
３５ａ、３５ｂ………被覆圧縮金型
３７ａ、３７ｂ………導線圧縮金型
３９ａ、３９ｂ………押圧部
４１ａ………端子押さえ部
４１ｂ………端子載置部
４３………被覆導線把持部
４５………挟み込み部
４７ａ、４７ｂ………被覆圧縮金型
４９………仮圧着部
【図１】
2018018788.tif 000003
【図２】
2018018788.tif 000004
【図３】
2018018788.tif 000005
【図４】
2018018788.tif 000006
【図５】
2018018788.tif 000007
【図６】
2018018788.tif 000008
【図７】
2018018788.tif 000009
【図８】
2018018788.tif 000010
【図９】
2018018788.tif 000011
【図１０】
2018018788.tif 000012
【図１１】
2018018788.tif 000013
【図１２】
2018018788.tif 000014